(57)【要約】  【課題】  カラー画像データをファクシミリ送信する場合、ＤＮＬマーカの状態を検知することによって、カラー画像データの符号化・復号化処理及び色空間の変換処理を最小限に抑制することができるカラー画像通信方法及びカラー画像通信装置を提供する。  【解決手段】  外部からヘッダ情報及びＤＮＬマーカを含むカラー画像データを受信するカラー画像通信方法において、受信したカラー画像データのヘッダ情報及びＤＮＬマーカにカラー画像データのサイズに関する情報が含まれるか否かを判別し、ヘッダ情報にカラー画像データのサイズに関する情報が含まれず、ＤＮＬマーカにカラー画像データのサイズに関する情報が含まれると判別した場合、ＤＮＬマーカに含まれるカラー画像データのサイズに関する情報をヘッダ情報に書き込む。【選択図】        図３
2005130378.tif 000002
【特許請求の範囲】
【請求項１】
外部からヘッダ情報及びＤＮＬマーカを含むカラー画像データを受信するカラー画像通信方法において、受信したカラー画像データの前記ヘッダ情報及びＤＮＬマーカにカラー画像データのサイズに関する情報が含まれるか否かを判別し、前記ヘッダ情報にカラー画像データのサイズに関する情報が含まれず、前記ＤＮＬマーカにカラー画像データのサイズに関する情報が含まれると判別した場合、前記ＤＮＬマーカに含まれるカラー画像データのサイズに関する情報を前記ヘッダ情報に書き込むことを特徴とするカラー画像通信方法。
【請求項２】
外部からヘッダ情報及びＤＮＬマーカを含むカラー画像データを受信する手段と、受信したカラー画像データを記憶するメモリと、該メモリに蓄積されているカラー画像データを指定された送信先へ送信する手段とを備えるカラー画像通信装置において、前記メモリに蓄積されている受信したカラー画像データの前記ヘッダ情報及びＤＮＬマーカにカラー画像データのサイズに関する情報が含まれるか否かを判別する判別手段と、該判別手段が前記ヘッダ情報にカラー画像データのサイズに関する情報が含まれず、前記ＤＮＬマーカにカラー画像データのサイズに関する情報が含まれると判別した場合、前記ＤＮＬマーカに含まれるカラー画像データのサイズに関する情報を前記ヘッダ情報に書き込む手段とを備えることを特徴とするカラー画像通信装置。
【請求項３】
前記判別手段で前記ヘッダ情報にカラー画像データのサイズに関する情報が含まれず、前記ＤＮＬマーカにカラー画像データのサイズに関する情報が含まれると判別された場合に、受信したカラー画像データの色空間を変換する手段と、該手段で色空間を変換したカラー画像データを外部へ転送する手段とを備えることを特徴とする請求項２記載のカラー画像通信装置。
【発明の詳細な説明】
【技術分野】
【０００１】
本発明は、デジタルカメラ、デジタルビデオ等で撮影したカラー画像データを受信するカラー画像通信方法及びカラー画像通信装置に関する。
【背景技術】
【０００２】
近年、カラー複写装置、カラープリンタ等の画像形成装置が普及するに伴い、画像通信装置においても、スキャナで画像データを読み込み、又はデジタルカメラ、デジタルビデオ等で撮影されたカラー画像を受信し、プリンタで印字出力（記録）、又は表示装置で表示出力することができるカラー画像通信装置が開発されている。斯かるカラー画像通信装置では、大容量データであるカラー画像データをＪＰＥＧ符号化することによりデータ圧縮しており、通信負荷の低減を図っている。
【０００３】
カラー画像通信装置で採用されている通信方法はITU-T勧告として標準化が図られており、T.30、T.42、及びT.81が勧告されている。カラー画像データの符号化方式としては、勧告T.81のＪＰＥＧ（Joint Photographic Expert Group）方式が採用されている。
【０００４】
例えばスキャナで原稿を読取り、読取ったカラー画像データをファクシミリ送信する場合、カラー画像データは大容量であることから、カラー画像データの読み込みを完了する前に該カラー画像データのファクシミリ送信が開始される。したがって、カラー画像データのファクシミリ送信を開始した時点では、送信するカラー画像データ全体のサイズを把握することができないため、ヘッダ情報にはカラー画像データのサイズに関する情報、例えばカラー画像データのライン数を特定することなく送信される。
【０００５】
一方、カラー画像データをファクシミリ受信する場合、送信されてくるカラー画像データのサイズを検知する必要がある。しかし、上述したようにスキャナで原稿を読取り、読取ったカラー画像データをファクシミリ送信する場合には、ヘッダ情報に送信されるカラー画像データのサイズに関する情報が含まれていない。したがって、送信側の機器では、カラー画像データの送信が完了した時点で、カラー画像データの末尾、すなわちＪＰＥＧファイルのＥＯＩマーカの直前に、ＤＮＬマーカというカラー画像データのサイズに関する情報、例えばカラー画像データのライン数を含む情報を付与して送信することが多い。
【０００６】
しかし、ＤＮＬマーカに含まれるカラー画像データのサイズに関する情報は、一般のパーソナルコンピュータ（以下、ＰＣ）で使用されている画像表示用アプリケーションでは使用されておらず、カラー画像データのサイズは、ヘッダ情報に含まれる画像データのサイズに関する情報に基づいて検知している。したがって、例えば受信したカラー画像データを他のＰＣへ転送する場合、ＰＣ上の画像表示アプリケーションではカラー画像データのサイズが不明となることから、受信したカラー画像データを正しく表示することができないという問題点があった。
【０００７】
斯かる問題点に対応すべく、例えば特許文献１では、受信したカラー画像データのＤＮＬマーカに含まれるカラー画像データのライン数を、ヘッダ情報に含まれるカラー画像データのライン数を示すＹパラメータへ書き込むことで、ＰＣ上の画像表示アプリケーションで、受信したカラー画像データを正しく表示する方法が開示されている。
【特許文献１】特開２００２−２１８１４８号公報
【発明の開示】
【発明が解決しようとする課題】
【０００８】
しかし、上述した従来のカラーファクシミリ装置では、ＤＮＬマーカによりカラー画像データのライン数が含まれて送信されていることが前提となっており、ＤＮＬマーカにライン数が含まれていない場合には、ＰＣ上で正しく表示することができないという問題点があった。一方、符号化・復号化処理、又は色空間の変換処理の回数が増えるほど、画質の劣化は著しく、外部から取得した画像データの状況に応じて適切な変換処理を施すことによって、画質の劣化を最小限に抑制する必要もある。
【０００９】
本発明は斯かる事情に鑑みてなされたものであり、カラー画像データをファクシミリ送信する場合、ＤＮＬマーカの状態を検知することによって、カラー画像データの符号化・復号化処理及び色空間の変換処理を最小限に抑制することができるカラー画像通信方法及び該カラー画像通信方法を用いるカラー画像通信装置を提供することを目的とする。
【課題を解決するための手段】
【００１０】
上記目的を達成するために第１発明に係るカラー画像通信方法は、外部からヘッダ情報及びＤＮＬマーカを含むカラー画像データを受信するカラー画像通信方法において、受信したカラー画像データの前記ヘッダ情報及びＤＮＬマーカにカラー画像データのサイズに関する情報が含まれるか否かを判別し、前記ヘッダ情報にカラー画像データのサイズに関する情報が含まれず、前記ＤＮＬマーカにカラー画像データのサイズに関する情報が含まれると判別した場合、前記ＤＮＬマーカに含まれるカラー画像データのサイズに関する情報を前記ヘッダ情報に書き込むことを特徴とする。
【００１１】
第１発明のカラー画像通信方法では、カラー画像データのヘッダ情報及びＤＮＬマーカにカラー画像データのサイズに関する情報が含まれるか否かを判別し、ヘッダ情報にカラー画像データのサイズに関する情報が含まれず、ＤＮＬマーカにカラー画像データのサイズに関する情報が含まれると判別した場合、ＤＮＬマーカに含まれるカラー画像データのサイズに関する情報をヘッダ情報に含まれるカラー画像データのサイズに関する情報として書き込む。これにより、送信元においてＤＮＬマーカにカラー画像データのサイズに関する情報が含まれて送信されている場合には、該情報をヘッダ情報へ書き込むことで、通常使用されている画像表示アプリケーションはカラー画像データのサイズを検知することができ、カラー画像データを正しく表示することが可能となる。また、ＤＮＬマーカにカラー画像データのサイズに関する情報が含まれている場合、スキャナにより読み取られたカラー画像データであると判断できることから、外部へ転送しない場合、何等復号化処理、色変換処理、再符号化処理を行う必要がなく、該処理による画質の劣化を回避することも可能となる。
【００１２】
第２発明に係るカラー画像通信装置は、外部からヘッダ情報及びＤＮＬマーカを含むカラー画像データを受信する手段と、受信したカラー画像データを記憶するメモリと、該メモリに蓄積されているカラー画像データを指定された送信先へ送信する手段とを備えるカラー画像通信装置において、前記メモリに蓄積されている受信したカラー画像データの前記ヘッダ情報及びＤＮＬマーカにカラー画像データのサイズに関する情報が含まれるか否かを判別する判別手段と、該判別手段が前記ヘッダ情報にカラー画像データのサイズに関する情報が含まれず、前記ＤＮＬマーカにカラー画像データのサイズに関する情報が含まれると判別した場合、前記ＤＮＬマーカに含まれるカラー画像データのサイズに関する情報を前記ヘッダ情報に書き込む手段とを備えることを特徴とする。
【００１３】
第２発明のカラー画像通信装置では、カラー画像データのヘッダ情報及びＤＮＬマーカにカラー画像データのサイズに関する情報が含まれるか否かを判別し、ヘッダ情報にカラー画像データのサイズに関する情報が含まれず、ＤＮＬマーカにカラー画像データのサイズに関する情報が含まれると判別した場合、ＤＮＬマーカに含まれるカラー画像データのサイズに関する情報をヘッダ情報に含まれるカラー画像データのサイズに関する情報として書き込む。これにより、送信元においてＤＮＬマーカにカラー画像データのサイズに関する情報が含まれて送信されている場合には、該情報をヘッダ情報へ書き込むことで、通常使用されている画像表示アプリケーションはカラー画像データのサイズを検知することができ、カラー画像データを正しく表示することが可能となる。また、ＤＮＬマーカにカラー画像データのサイズに関する情報が含まれている場合、スキャナにより読み取られたカラー画像データであると判断できることから、外部へ転送しない場合、何等復号化処理、色変換処理、再符号化処理を行う必要がなく、該処理による画質の劣化を回避することも可能となる。
【００１４】
第３発明に係るカラー画像通信装置は、第２発明において、前記判別手段で前記ヘッダ情報にカラー画像データのサイズに関する情報が含まれず、前記ＤＮＬマーカにカラー画像データのサイズに関する情報が含まれると判別された場合に、受信したカラー画像データの色空間を変換する手段と、該手段で色空間を変換したカラー画像データを外部へ転送する手段とを備えることを特徴とする。
【００１５】
第３発明のカラー画像通信装置では、ＤＮＬマーカに含まれる画像データのサイズに関する情報をヘッダ情報に書き込む場合、受信したカラー画像データはスキャナで読み込んだカラー画像データであると判断し、外部へ転送する場合には色空間をｓＹＣＣからＣＩＥＬＡＢに変換してから転送する。これにより、外部へ転送する場合には復号化処理、色変換処理、再符号化処理を行うが、外部へ転送しない場合、又はＤＮＬマーカに画像データのサイズに関する情報が含まれていない場合には、復号化処理、色変換処理、再符号化処理を行う必要がなく、該処理による画質の劣化を最小限に止めることが可能となる。
【発明の効果】
【００１６】
本発明によれば、受信したカラー画像データのＤＮＬマーカに該カラー画像データのサイズに関する情報が含まれていない場合には、該情報をヘッダ情報へ書き込むことによって、通常使用されている画像表示アプリケーションでカラー画像データのサイズを検知することができ、カラー画像データを正しく表示することが可能となる。また、ＤＮＬマーカに画像データのサイズに関する情報が含まれている場合、受信したカラー画像データはスキャナにより読み取られたカラー画像データであると判断できることから、外部へ転送しない場合、何等復号化処理、色変換処理、再符号化処理を行う必要がなく、該処理による画質の劣化を回避することも可能となる。
【発明を実施するための最良の形態】
【００１７】
以下、本発明をその実施の形態を示す図面を参照して具体的に説明する。図１は、本発明のカラー画像通信方法を用いるカラーファクシミリ装置２０の構成を示すブロック図である。
【００１８】
カラーファクシミリ装置２０は、制御部１、読取部２、記録部３、表示部４、操作部５、ＲＯＭ６、ＲＡＭ７、コーデック部８、画像メモリ９、モデム１０、ＮＣＵ（Network Control Unit）１１、外部インタフェース部１２等を備えている。カラーファクシミリ装置２０は、読取部２にて原稿を読取って画像データを取得する読取り機能、読取った画像データ、ファクシミリ通信により受信した画像データ、又は外部接続されたＰＣ、デジタルカメラ、デジタルビデオ等から取得した画像データを記録部３にて記録する記録機能、及び読取った画像データ、受信した画像データ、又は取得した画像データをファクシミリ送信する送信機能を備える。
【００１９】
制御部１は、具体的にはＣＰＵで構成されており、バス１３を介してカラーファクシミリ装置２０の上述したようなハードウェア各部と接続されており、上述したハードウェア各部を制御するとともに、ＲＯＭ６に格納された制御プログラムに従って、種々のソフトウェア的機能を実行してファクシミリの通信手順を実行する。読取部２は、例えばＣＣＤイメージセンサを利用して原稿を読取り、読取った画像データを出力する。具体的には、プラテンガラスに給送された原稿を光学ユニットが照射して走査し、原稿からの反射光をミラー、レンズ等を介してＣＣＤイメージセンサに取り込み、走査された原稿の画像データを読取る。カラー画像データの読み取りは、画像の各画素から、ＲＧＢといった複数の色信号データを得ることで実行される。
【００２０】
記録部３は、電子写真方式のカラープリンタ装置であって、読取部２で読取った原稿のカラー画像データ、ファクシミリ通信により受信した画像データ、外部のＰＣ、デジタルカメラ、デジタルビデオ等から取得した画像データ等に応じた画像を用紙にプリント出力する。表示部４は、液晶表示装置、ＣＲＴディスプレイ等の表示装置であり、カラーファクシミリ装置２０の動作状態を表示したり、ユーザへ操作入力を促す画面を表示したり、送信すべく読取った原稿の画像データ、他のファクシミリ装置、ＰＣ、デジタルカメラ、デジタルビデオ等から送信された画像データ等の表示を行う。
【００２１】
操作部５は、カラーファクシミリ装置２０を操作するために必要な文字キー、テンキー、短縮ダイヤルキー、ワンタッチダイヤルキー、各種のファンクションキー等を備えている。なお、表示部４をタッチパネル方式とすることにより、操作部５の各種のキーの内の一部又は全部を表示部４が代用することも可能である。ＲＯＭ６は、カラーファクシミリ装置２０の動作に必要な種々のソフトウェアのプログラムを予め格納している。ＲＡＭ７は、ＳＲＡＭ、フラッシュメモリ等で構成されソフトウェアの実行時に発生する一時的なデータを記憶する。
【００２２】
コーデック部８は、画像データを符号化圧縮するとともに、符号化圧縮されている画像データを復号する。白黒２値画像は、ＭＨ、ＭＲ、ＭＭＲ等の符号化方式によって符号化／復号化（圧縮／伸張）する。カラー画像は、ＪＰＥＧ、ＪＢＩＧ等の符号化方式によって符号化／復号化（圧縮／伸張）する。なお、読取部２で読み取ったカラー画像、又は外部接続されたＰＣ、デジタルカメラ、デジタルビデオ等から取得したカラー画像を符号化する場合、ＲＧＢ（赤、緑、青）の各々が８ビットずつで示される色信号データを、色空間ＣＩＥＬＡＢの画像に変換してから、上記符号化がなされる。斯かるデータ変換機能は、コーデック部８に含まれているものとする。画像メモリ９は、上記符号化がなされたカラー画像データを蓄積する。
【００２３】
モデム１０は、バス１３に接続されており、ファクシミリ通信が可能なファクシミリモデムである。また、モデム１０は、バス１３に接続されたＮＣＵ１１とも接続されている。ＮＣＵ１１は、公衆電話回線網（ＰＳＴＮ：Public Switched Telephone Network）との回線Ｌ１の閉結及び開放の動作を行うハードウェアであり、必要に応じてモデム１０をＰＳＴＮと接続する。そして、カラーファクシミリ装置２０は、ＰＳＴＮによって他のファクシミリ装置と接続されており、通常のファクシミリ通信が行うことができるようになっている。外部インタフェース部１２は、例えばＬＡＮの通信線Ｌ１を介して外部のデジタルカメラに接続されており、デジタルカメラで撮影された画像データを受信する。そして、外部のデジタルカメラで作成・編集された各種の画像データが通信線Ｌ２を介してカラーファクシミリ装置２０（外部インタフェース部１２）へ送信され、送信された画像データは、カラーファクシミリ装置２０のコーデック部８で符号化され、画像データとして蓄積されている画像メモリ９から所定の機器へとファクシミリ送信される。
【００２４】
以下、上述した構成のカラーファクシミリ装置２０におけるカラー画像受信処理の動作について説明する。図２、図３及び図５は、本発明の実施の形態に係るカラーファクシミリ装置での動作手順を示すフローチャートである。
【００２５】
図２は、本発明の実施の形態に係るカラーファクシミリ装置２０でのカラー画像データの受信準備が完了するまでの動作手順を示すフローチャートである。図２に示すように、受信側のカラーファクシミリ装置２０は、外部から発呼された旨、すなわち着信要求を確認した場合（ステップＳ１：ＹＥＳ）、ＮＣＵ１１は、ＰＳＴＮとの回線Ｌ１を閉結する(ステップＳ２)。
【００２６】
次に、受信側のカラーファクシミリ装置２０が対応可能な色空間がＣＩＥＬＡＢであるか否かを確認する(ステップＳ３)。受信側のカラーファクシミリ装置２０が対応可能な色空間がＣＩＥＬＡＢである場合(ステップＳ３：ＹＥＳ)、ＤＩＳ(ディジタル識別信号)のフレームに色空間がＣＩＥＬＡＢである旨を設定する(ステップＳ４)。受信側のカラーファクシミリ装置２０が対応可能な色空間がＣＩＥＬＡＢでない場合(ステップＳ３：ＮＯ)、すなわち対応可能な色空間がｓＹＣＣである場合、ＤＩＳ(ディジタル識別信号)のフレームに色空間がｓＹＣＣである旨を設定する(ステップＳ５)。色空間を設定した時点で、ＤＩＳ（ディジタル識別信号）を送信元に対して発信し(ステップＳ６)、送信元からのＤＣＳ（ディジタル命令信号）の受信を待機する(ステップＳ７)。
【００２７】
所定の時間内にＤＣＳを受信できない場合(ステップＳ７：ＮＯ、ステップＳ８：ＹＥＳ)、ＮＣＵ１１は、ＰＳＴＮとの回線Ｌ１を開放し(ステップＳ９)、着信要求の待ち状態へ戻る。
【００２８】
所定の時間内にＤＣＳを受信した場合(ステップＳ７：ＹＥＳ)、受信する画像データがカラー画像データであるか否かを確認する(ステップＳ１０)。カラー画像データでない場合は(ステップＳ１０：ＮＯ)、従来の単色画像に対応するファクシミリ受信手順で単色画像に対応する符号化方式であるＭＨ、ＭＲ、ＭＭＲ等により符号化された画像データを受信する(ステップＳ１１)。カラー画像データである場合(ステップＳ１０：ＹＥＳ)、ＣＦＲ（受信準備確認信号）を送信する（ステップＳ１２）。
【００２９】
図３は、本発明の実施の形態に係るカラーファクシミリ装置での画像データ受信準備が完了してからの動作手順を示すフローチャートである。図３において、カラー画像データの受信を開始し(ステップＳ２１)、最初に受信するヘッダ情報にカラー画像データのサイズに関する情報（以下、サイズ情報という）が含まれているか否かを確認する(ステップＳ２２)。ヘッダ情報にカラー画像データのサイズ情報が含まれている場合(ステップＳ２２：ＹＥＳ)、該カラー画像データのサイズが明確であることから、デジタルカメラ、デジタルビデオ等のデジタル機器で撮影されたカラー画像データであると判断し、色空間がｓＹＣＣである場合の通常の受信処理を行う(ステップＳ２３)。
【００３０】
ヘッダ情報にカラー画像データのサイズ情報が含まれていない場合(ステップＳ２２：ＮＯ)、符号化され圧縮されたカラー画像データを継続して受信して画像メモリ９へ書き込み(ステップＳ２４)、カラー画像データの末尾に付加されているＤＮＬマーカにカラー画像データのサイズ情報が含まれているか否かを確認する(ステップＳ２５)。ＤＮＬマーカにカラー画像データのサイズ情報が含まれている場合(ステップＳ２５：ＹＥＳ)、スキャナで読み込まれつつ送信されてきたカラー画像データであると判断し、ＤＮＬマーカに含まれているカラー画像データのサイズ情報を、ヘッダ情報に含まれるサイズ情報としてヘッダ情報に書き込む(ステップＳ２６)。
【００３１】
例えば、ＪＰＥＧ形式で符号化された圧縮ファイルは、図４に示すような形式を有する。図４はＪＰＥＧ方式で符号化する場合のデータ構成の例示図である。図４において、ＳＯＩは圧縮されたカラー画像データの開始を示すマーカであり、続いてアプリケーションマーカであるＡＰＰ１がファイルの付属情報を示すマーカとして付与されている。以下、圧縮されたカラー画像データの終了を示すマーカであるＥＯＩまで、ＤＱＴ（量子化テーブル）、ＤＨＴ（ハフマンテーブル）、ＳＯＦ（フレームヘッダ）、ＳＯＳ（スキャンヘッダ）、圧縮されたカラー画像データの順にファイルが構成されている。
【００３２】
カラー画像データのサイズ情報は、ＳＯＦ（フレームヘッダ）に含まれるＹパラメータに、カラー画像データのライン数を示す値として記録されており、通常の画像表示アプリケーションは、ＳＯＦ（フレームヘッダ）に含まれるＹパラメータの値によりカラー画像データのサイズを検知する。したがって、ＤＮＬマーカで特定されたカラー画像データのライン数を、ＳＯＦ（フレームヘッダ）に含まれるＹパラメータへ書き込むことで、カラー画像データを他のＰＣへ転送した場合であっても、他のＰＣで使用する画像表示アプリケーションは、転送されてきたカラー画像データのサイズを検知することができ、画像を正しく表示することが可能となる。なお、ステップＳ２２において、ヘッダ情報にカラー画像データのサイズ情報が含まれているか否かの判断は、ＳＯＦ（フレームヘッダ）に含まれるＹパラメータが０(ゼロ)であるか否か又は受信側で受信することが可能な最大ライン数を超えているか否かにより判断する。
【００３３】
ＤＮＬマーカにカラー画像データのサイズ情報が含まれていない場合(ステップＳ２５：ＮＯ)、受信機側で受信することが可能な最大ライン数を、ヘッダ情報のサイズ情報として書き込む(ステップＳ２７)。これにより、通信障害等により画像データが完全に送信されておらず、ＤＮＬマーカの値を検知することができない場合であっても、受信できた範囲内でカラー画像データを印刷出力することができる。
【００３４】
全体の送信処理の終了を示すＥＯＰ(手順終了信号)を受信した場合(ステップＳ２８)、すべてのカラー画像データを受信したことを示すＭＣＦ（メッセージ確認信号）を送信して(ステップＳ２９)、カラー画像データの受信処理を完了する。
【００３５】
図５は、カラー画像データの受信処理完了後の動作手順を示すフローチャートである。図５において、受信したカラー画像データを、外部インタフェース部１２を介して、さらに外部へ転送するか否かを確認する(ステップＳ３１)。外部へ転送しない場合(ステップＳ３１：ＮＯ)、受信したカラー画像データを記録部３で印刷出力する(ステップＳ３２)。
【００３６】
外部へ転送する場合(ステップＳ３１：ＹＥＳ)、受信したカラー画像データの色空間がｓＹＣＣであるか否かを確認する(ステップＳ３３)。色空間がｓＹＣＣでない場合(ステップＳ３３：ＮＯ)、受信したカラー画像データをそのまま、指定された転送先である外部の例えばＰＣへ送信する(ステップＳ３４)。色空間がｓＹＣＣである場合(ステップＳ３３：ＹＥＳ)、色空間をＣＩＥＬＡＢからｓＹＣＣへと変換し(ステップＳ３５)、指定された転送先である外部の例えばＰＣへ送信する(ステップＳ３６)。
【００３７】
以上のように、本実施の形態によれば、送信元においてＤＮＬマーカにカラー画像データのサイズ情報が含まれている場合には、該情報をヘッダ情報へ書き込むことによって通常使用されている画像表示アプリケーションで画像データのサイズを検知することができ、画像データを正しく表示することが可能となる。また、ＤＮＬマーカに画像データのサイズ情報が含まれている場合、スキャナにより読み取られた画像データであると判断できることから、外部へ転送しない場合、何等復号化処理、色変換処理、再符号化処理を行う必要がなく、該処理による画質の劣化を回避することも可能となる。
【００３８】
なお、本実施の形態ではカラーファクシミリ装置を例として説明しているが、ファクシミリ複合装置、ファクシミリデータ中継装置等、取得したカラー画像データをファクシミリデータとして受信する全ての装置に本発明を適用できることは言うまでもない。
【図面の簡単な説明】
【００３９】
【図１】本発明のカラー画像通信方法を用いるカラーファクシミリ装置の構成を示すブロック図である。
【図２】本発明の実施の形態に係るカラーファクシミリ装置でのカラー画像データの受信準備が完了するまでの動作手順を示すフローチャートである。
【図３】本発明の実施の形態に係るカラーファクシミリ装置での画像データ受信準備が完了してからの動作手順を示すフローチャートである。
【図４】ＪＰＥＧ方式で符号化する場合のデータ構成の例示図である。
【図５】本発明の実施の形態に係るカラーファクシミリ装置でのカラー画像データの受信処理完了後の動作手順を示すフローチャートである。
【符号の説明】
【００４０】
１  制御部
２  読取部
３  記録部
５  操作部
６  ＲＯＭ
７  ＲＡＭ
８  コーデック部
９  画像メモリ
１０  モデム
１１  ＮＣＵ
１２  外部インタフェース部
【図１】
2005130378.tif 000003
【図２】
2005130378.tif 000004
【図３】
2005130378.tif 000005
【図４】
2005130378.tif 000006
【図５】
2005130378.tif 000007